(57)【要約】【課題】カバーの取り付け及び位置決めが容易で、掃除しやすいシャワーヘッドを提供する。【解決手段】下端にシャワーホース９の接続部２ａと、周面の一部に散水孔とを備えた棒状のシャワーヘッド本体２に対し、散水孔が露出する開口を備えた筒状のカバー６を着脱可能に外嵌したシャワーヘッド１におけるシャワーヘッド本体２には、下端側に係止部２ｂが突出され、上端側にはキャップ７の取付部４ｆが形成され、さらに突起部２ｃが形成されており、カバー６には切り欠き６ｃが形成されている。カバー６をシャワーヘッド本体２の上端側から挿着する際に切り欠き６ｃ内に突起部２ｃを挿入させつつ、カバー６の下端を係止部２ｂに当接させ、取付部４ｆにキャップ７を取り付けて、キャップ７をカバー６の上端に当接させて、カバー６を保持させる。【選択図】図３
2010207416.tif 000002
【特許請求の範囲】
【請求項１】
下端にシャワーホースの接続部と、周面の一部に散水孔とを備えた棒状のシャワーヘッド本体に対し、上面および下面が開口し前記散水孔が露出する開口を備えた筒状のカバーを着脱可能に外嵌したシャワーヘッドであって、
前記シャワーヘッド本体には、径方向に突出する下端側の係止部と、キャップを取り付け可能な上端側の取付部と、前記係止部の上方の周面に径方向へ突出する突起部が設けられてなり、
前記カバーには、下面の開口に連通する切り欠きが設けられてなり、
該カバーを前記シャワーヘッド本体の上端側から挿着して前記切り欠き内に前記突起部を挿入させつつ該カバーの下端を前記係止部に当接させるとともに、前記取付部にキャップを取り付けて該キャップを前記カバーの上端に当接させることで該カバーを保持し得るように構成したことを特徴とするシャワーヘッド。
【請求項２】
前記シャワーヘッド本体の突起部は、該シャワーヘッド本体に前記カバーが外嵌された状態で、該カバーの外面から径方向に突出するように設けられていることを特徴とする請求項１に記載のシャワーヘッド。
【発明の詳細な説明】
【技術分野】
【０００１】
本発明は、シャワーヘッドに関するものである。
【背景技術】
【０００２】
従来、この種のシャワーヘッドとして、例えば特許文献１に開示されているようなものがあり、このシャワーヘッドのケースは、筒状のケース本体と、ケース本体の上部開口に取り付けられる吐水窓を有するキャップ筒体と、キャップ筒体の上部開口に螺着される蓋体とを備えて構成されている。
【先行技術文献】
【特許文献】
【０００３】
【特許文献１】特開平０６−０６３４５７号公報
【発明の概要】
【発明が解決しようとする課題】
【０００４】
上記特許文献１に開示されているシャワーヘッドの構造では、キャップ筒体がシャワーヘッドの上端側より螺合されているが、このキャップ筒体をどのように位置決めするかは何ら開示されておらず、キャップ筒体の吐水窓を所定位置に配置するのが困難な場合があった。
【課題を解決するための手段】
【０００５】
本発明は、カバーの位置決めが容易で散水孔を確実に位置決めできるシャワーヘッドの提供を目的とし、この目的の少なくとも一部を達成するために以下の手段を採った。
本発明は、下端にシャワーホースの接続部と、周面の一部に散水孔とを備えた棒状のシャワーヘッド本体に対し、上面および下面が開口し前記散水孔が露出する開口を備えた筒状のカバーを着脱可能に外嵌したシャワーヘッドであって、前記シャワーヘッド本体には、径方向に突出する下端側の係止部と、キャップを取り付け可能な上端側の取付部と、前記係止部の上方の周面に径方向へ突出する突起部が設けられてなり、前記カバーには、下面の開口に連通する切り欠きが設けられてなり、該カバーを前記シャワーヘッド本体の上端側から挿着して前記切り欠き内に前記突起部を挿入させつつ該カバーの下端を前記係止部に当接させるとともに、前記取付部にキャップを取り付けて該キャップを前記カバーの上端に当接させることで該カバーを保持し得るように構成したことを要旨とする。
【発明の効果】
【０００６】
本発明では、シャワーヘッド本体にカバーを上端側から挿着する際にカバーの切り欠き内にシャワーヘッド本体側に設けられている突起部が挿入されてゆき、これによりシャワーヘッド本体に対するカバーの取り付けが容易となり、また、カバーの位置決めが確実に行えるものとなり、シャワーヘッド本体に形成された散水孔とカバーに形成された開口を確実に合致させることができるものとなる。
【０００７】
また、本発明のシャワーヘッドにおいて、前記シャワーヘッド本体の突起部は、該シャワーヘッド本体に前記カバーが外嵌された状態で、該カバーの外面から径方向に突出するように設けられているものとすることもできる。
こうすれば、カバーの外周を手で握ってシャワーヘッドを使用する際に、シャワーヘッド本体からの突起部がカバーの外面から径方向に突出しているため、使用者はしっかりとシャワーヘッドを握ることができ、また、突起部により散水方向を確実に認知することができ、使いやすいものとなる。
【図面の簡単な説明】
【０００８】
【図１】シャワーヘッドをシャワーハンガーに掛止した状態の外観斜視構成図である。
【図２】シャワーヘッドを構成するシャワーヘッド本体とカバーの分解斜視図である。
【図３】シャワーヘッド本体とカバーを背側から視た分解斜視図である。
【図４】シャワーヘッドの内部構造を示す断面構成図である。
【図５】図４の散水孔周辺の要部拡大断面構成図である。
【図６】シャワーヘッドの散水孔付近の横断面拡大構成図である。
【図７】図４の散水孔下部の要部拡大断面構成図である。
【図８】図７の要部拡大断面構成図である。
【発明を実施するための形態】
【０００９】
次に、本発明を実施するための形態を実施例を用いて説明する。
図１は、シャワーヘッド１をシャワーハンガー１３に掛止した状態の外観斜視構成図であり、図４は、シャワーヘッドの内部構造を示す断面構成図である。また、図２および図３は、異なる方向から視たシャワーヘッドの構成部材の分解斜視図である。
【００１０】
シャワーヘッド１は、下端にシャワーホース９の接続部２ａを備えた棒状のシャワーヘッド本体２と、このシャワーヘッド本体２に対し上方側から挿着されてシャワーヘッド本体２に外嵌される筒状のカバー６と、シャワーヘッド本体２の上端にネジ止めされるキャップ７を主体として構成されている。
【００１１】
シャワーヘッド本体２は樹脂製であり、下端側のシャワーホース接続部２ａの上方に、径方向に突出してリング状に係止部２ｂが形成されており、シャワーヘッド本体２の背側には、係止部２ｂから上方に向かって縦方向に延びる突起部２ｃが径方向へ突出状に一体形成されており、突起部２ｃの上端は更に径方向へ突出した上端突部２ｄとなっている。
【００１２】
シャワーヘッド本体２の内部には、シャワーホース９から水が導入される供給路３が下端から上端側へ貫通して形成されている。
シャワーヘッド本体２の上端突部２ｄよりも上方側の外周には、Ｏリング８を介して覆蓋状に筒状の散水板部材４が取り付けられており、図７に要部拡大断面で示すように、この散水板部材４の下端側に形成された複数の開口４ｃ，４ｃ内に、シャワーヘッド本体２の上端突部２ｄの上方側に突出形成させた複数の爪２ｆ，２ｆがそれぞれ嵌め込まれて、シャワーヘッド本体２の上部外周に散水板部材４が一体状に覆設されている。
【００１３】
この散水板部材４内に下方から上方に向かってシャワーヘッド本体２の隔壁２ｅが延びており、この隔壁２ｅにより散水板部材４の内部では、内側の供給路側区画部３ａと外側の散水孔側区画部３ｂに区画されており、供給路側区画部３ａは供給路３と連続したものとなっている。散水板部材４の散水孔側区画部３ｂの外側位置は、多数の散水孔５，５，５が形成された散水板部４ｂとなっており、散水板部材４の上端の上面４ａよりも背側には、下方側へＶ字状に凹ませて凹部４ｄが一体形成されており、さらに散水板部材４の上端外周には雄ネジが形成されて、キャップ７の取付部４ｆとなっている。
【００１４】
前記隔壁２ｅにより区画された供給路側区画部３ａと散水孔側区画部３ｂは、その上端の連通路３ｃで連通されており、この連通路３ｃは、隔壁２ｅの上端と散水板部材４の上面４ａとの間の隙間に形成されたものとなっており、凹部４ｄが形成されているため、供給路側区画部３ａの上端の流路は狭められたものとなっている。
【００１５】
シャワーヘッド本体２および散水板部材４の外周に外嵌されるカバー６は、鏡面仕上げされた金属製であり、上端開口６ａと下端開口６ｂを有する真っ直ぐな円筒形状に形成されており、カバー６の背側には、下端開口６ｂから上方へ向かってスリット状に切り欠き６ｃが形成されている。また、この切り欠き６ｃと反対側のカバー６の前面側の上部には、多数の開口６ｄ，６ｄ，６ｄが貫通形成されている。この多数の開口６ｄの数は、前記散水板部４ｂに形成された多数の散水孔５の数と同数であり、各開口６ｄの位置は、各散水孔５の位置と同位置に形成されたものである。
【００１６】
即ち、図５の要部拡大断面図で示すように、カバー６を外嵌させた状態では、散水板部４ｂの各散水孔５とカバー６の各開口６ｄが整合されるものである。
なお、図６は、カバーを外嵌させた状態の散水孔５の付近の横断面拡大図であり、図６の中央部には、前述した供給路３と連続する供給路側区画部３ａが形成されており、隔壁２ｅを介して区画されて外側に前述した散水孔側区画部３ｂが形成され、散水孔側区画部３ｂの外側に、多数の散水孔５を有する散水板部４ｂが配置される。
【００１７】
シャワーヘッド本体２の上部外周には、予め散水板部材４が爪２ｆ，２ｆを介して一体状に覆設されており、この状態で、上端側からカバー６を散水板部材４およびシャワーヘッド本体２の外周に下方側へ向かって挿着させてゆくと、カバー６の切り欠き６ｃ内にシャワーヘッド本体２側の突起部２ｃが挿入されてゆき、カバー６を更に下方側へ移動させると、やがてはカバー６の下端開口６ｂがシャワーヘッド本体２のリング状の係止部２ｂの上面に当接された状態となる。この状態で、散水板部材４の上端外周の取付部４ｆに上方側からキャップ７を螺合させてゆき、キャップ７を締め付けると、キャップ７の下端はカバー６の上端開口６ａに当接し、これにより、カバー６はシャワーヘッド本体２の係止部２ｂとキャップ７間に挟み込まれて固定される。
【００１８】
このカバー６の取り付け時には、切り欠き６ｃ内に突起部２ｃが挿入されてゆくことで、良好にガイドされてカバー６が組み付けられ、しかもカバー６は回転することなく良好に位置決めされてシャワーヘッド本体２および散水板部材４の外周に外嵌されることとなり、散水板部材４の散水孔５とカバー６の開口６ｄが良好に整合された状態で取り付けられる。即ち、各散水孔５の外側に各開口６ｄが確実に配置されることとなる。
【００１９】
なお、カバー６が完全に取り付けられた状態では、図４に示すように、突起２ｃおよび上端突部２ｄは切り欠き６ｃから外方向に突出して、カバー６の外側へ突出状態となる。従って、シャワーヘッド１を使用する際に、カバー６の下部部位の把持部６Ｐを手で握る際に、手に突起部２ｃが当たり、これにより使用者はシャワーヘッド１をしっかりと握ることができ、また、突起部２ｃにより、反対側にある散水孔５および開口６ｄの方向を良好に知ることができ、散水方向を間違えることがなく、シャワーヘッド１が使いやすいものとなる。
【００２０】
このように突起部２ｃがカバー６の外周側へ突出するため、手で握る際に回転方向の滑り止めとなり、また、突起部２ｃの上端側に更に突出して上端突部２ｄが形成されているため、この上端突部２ｄにより縦方向の滑り止め作用が成され、手で握って使用する際に上下方向の滑りも抑えられ、使いやすいものとなる。
なお、図４において、下端のシャワーホース接続部２ａの外周には、シャワーホース９の先端の袋ナット１２が螺合されて、シャワーホース９がシャワーホース接続部２ａに接続されるものであり、袋ナット１２の内周にはＯリング１０およびＵパッキン１１が介在されてシール性が確保されるものである。
【００２１】
このような構造のシャワーヘッド１では、シャワーホース９側から湯水が供給路３内に導入され、更に供給路側区画部３ａから連通路３ｃを通って散水孔側区画部３ｂに湯水が導入され、多数の散水孔５から多数の開口６ｂを通して外部にシャワー水が噴出されるものである。
【００２２】
なお、シャワーを止めた時（使用後）には、散水孔区画部３ｂおよび連通路３ｃ内に残った水が散水孔５および開口６ｄから良好に排出されるものであり、散水孔区画部３ｂおよび連通路３ｃの容積は小さいために排出される水の量は少なく、シャワーを止めた際に早く残水を排出できるものとなる。
また、多数の散水孔５における最下端側の散水孔５ａは、図７に要部拡大断面で示すように大径に形成されており、より早く残水を排水できるように構成されている。
【００２３】
なお、図８に要部拡大断面で示すように、最下端側の散水孔５ａの下方の散水板部材４の外周には、径方向に突出してカバー６の内周に当接するリブ４ｅがリング状に形成されており、このリブ４ｅにより、カバー６内部への水の浸入を防ぎ、カバー６下端から水が垂れるのを防止できるように構成されている。
【００２４】
なお、供給路側区画部３ａの上端側は凹部４ｄにより極めて狭い通路となっているため、シャワーの止水後（使用後）に排出される水の量をより少なくすることができ、早く残水を外部に排出できるものである。
なお、シャワーの止水後（使用後）に、多数の散水孔５およびカバーの開口６ｄから排出される水は、カバー６の真っ直ぐな外周面を伝わって早期に下側へ流れ落ち、シャワーホース９側への残水の排出速度が速くなり、開口６ｄからボタボタと水が垂れ落ちることがなく、目立たない状態で早期に残水が排出されるものである。
なお、このような構造のシャワーヘッド１はキャップ７を取り外すことで、カバー６をシャワーヘッド本体２から上方へ引き抜いて取り外すことができ、これにより、散水孔５周辺の掃除等を極めて容易に行うことができるものとなる。
【００２５】
なお、図５に拡大して示す各散水孔５の外端および各開口６ｄの内周側等に、水中に含まれるカルシウム等が白く結晶化して付着することがあるが、このようなカルシウム等の結晶などの付着物（スケール）が付着したような場合には、キャップ７を取り外して、カバー６をシャワーヘッド本体２の外周で上下方向に移動させることで、散水孔５および開口６ｄに付着したスケールを良好に取り除くことができ、その後に水洗いすることでスケールを除去できるものであり、掃除が容易なものとなる。
【符号の説明】
【００２６】
１  シャワーヘッド
２  シャワーヘッド本体
２ａ  シャワーホース接続部
２ｂ  係止部
２ｃ  突起部
２ｄ  上端突部
２ｅ  隔壁
２ｆ  爪
３  供給路
３ａ  供給路側区画部
３ｂ  散水孔側区画部
３ｃ  連通路
４  散水板部材
４ａ  上面
４ｂ  散水板部
４ｃ  開口
４ｄ  凹部
４ｅ  リブ
４ｆ  取付部
５  散水孔
６  カバー
６ａ  上端開口
６ｂ  下端開口
６ｃ  切り欠き
６ｄ  開口
６Ｐ  把持部
７  キャップ
９  シャワーホース
【図１】
2010207416.tif 000003
【図２】
2010207416.tif 000004
【図３】
2010207416.tif 000005
【図４】
2010207416.tif 000006
【図５】
2010207416.tif 000007
【図６】
2010207416.tif 000008
【図７】
2010207416.tif 000009
【図８】
2010207416.tif 000010